(57)【要約】      （修正有）【課題】画質を劣化させることなく、カメラによる盗撮を防止する。【解決手段】画像生成装置は、元画像データＩＭＧ０を取得する手段と、元画像データを少なくとも２つのフレームデータＦ１、Ｆ２に分割する手段と、元画像データの一部である第１領域をマスクする第１マスクパターンを第１フレームデータに適用することにより、第１マスクフレームデータＭＦ１を生成する手段と、元画像データの一部である第２領域をマスクする第２マスクパターンを第２フレームデータに適用することにより、第２マスクフレームデータＭＦ２を生成する手段と、第１マスクフレームデータと、第２マスクフレームデータとを交互に切り替えて出力する手段と、を備える。【選択図】図３
2019022054.tif 000002
【特許請求の範囲】
【請求項１】
元画像データを取得する手段を備え、
前記元画像データを少なくとも２つのフレームデータに分割する手段を備え、
前記元画像データの一部である第１領域をマスクする第１マスクパターンを第１フレームデータに適用することにより、第１マスクフレームデータを生成する手段を備え、
前記元画像データの一部である第２領域をマスクする第２マスクパターンを第２フレームデータに適用することにより、第２マスクフレームデータを生成する手段を備え、
前記第１マスクフレームデータと、前記第２マスクフレームデータと、を交互に切り替えて出力する手段を備える、
画像生成装置。
【請求項２】
前記出力する手段は、複数のフレームデータを、人間の眼の時間的分解能より速く、且つ、カメラのシャッタスピードより遅い時間で切り替える、
請求項１に記載の画像生成装置。
【請求項３】
前記出力する手段は、複数のフレームデータを６０ｆｐｓ以下で切り替える、
請求項２に記載の画像生成装置。
【請求項４】
請求項１〜３の何れかに記載の画像生成装置と接続可能な画像表示装置であって、
前記出力された第１マスクフレームデータ及び第２マスクフレームデータを交互に切り替えて表示する、
画像生成装置。
【請求項５】
光を対象物に照射する光源を備え、
前記対象物の一部である第１領域をマスクする画像を投影する第１マスク光を前記光源に発光させるための第１制御信号を生成する手段を備え、
前記対象物の一部である第２領域をマスクする画像を投影する第２マスク光を前記光源に発光させるための第２制御信号を生成する手段を備え、
前記第１制御信号と、前記第２制御信号と、を交互に切り替えて前記光源に与える手段を備える、
画像投影装置。
【請求項６】
前記光源は、複数のマスク光を、人間の眼の時間的分解能より速く、且つ、カメラのシャッタスピードより遅い時間で切り替える、
請求項５に記載の画像投影装置。
【請求項７】
前記光源は、複数マスク光を６０ｆｐｓ以下で切り替える、
請求項６に記載の画像投影装置。
【請求項８】
コンピュータを、請求項１〜７に記載の各手段として機能させるためのプログラム。
【発明の詳細な説明】
【技術分野】
【０００１】
本発明は、画像生成装置及び画像投影装置に関する。
【背景技術】
【０００２】
近年、ディスプレイ又はスクリーンに表示されるコンテンツが増加傾向にある。表示されたコンテンツは、人間が視認可能であると共に、カメラによる撮影が可能である。そのため、撮影が禁止されたコンテンツ（静止画像又は動画像）を撮影する（つまり、盗撮を行う）ユーザも増えている。従って、このようなコンテンツを保護する技術への需要が高まっている。
【０００３】
例えば、特許文献１には、妨害画像を用いて盗撮を防止する技術が開示されている。この妨害画像は、人間には認識できない周波数成分を除去することにより生成される。
【先行技術文献】
【特許文献】
【０００４】
【特許文献１】特開２０１２−０６０２８６号公報
【発明の概要】
【発明が解決しようとする課題】
【０００５】
しかし、特許文献１の技術では、特許文献１の技術では、元画像から周波数成分を除去するので、元画像の画質を劣化させることになる。
特に、特許文献１の技術では、画像表示装置の解像度が高くなるほど、ユーザが画質の劣化した画像を視認するリスクが上昇する。
【０００６】
本発明の目的は、画質を劣化させることなく、カメラによる盗撮を防止することである。
【課題を解決するための手段】
【０００７】
本発明の一態様は、
元画像データを取得する手段を備え、
前記元画像データを少なくとも２つのフレームデータに分割する手段を備え、
前記元画像データの一部である第１領域をマスクする第１マスクパターンを第１フレームデータに適用することにより、第１マスクフレームデータを生成する手段を備え、
前記元画像データの一部である第２領域をマスクする第２マスクパターンを第２フレームデータに適用することにより、第２マスクフレームデータを生成する手段を備え、
前記第１マスクフレームデータと、前記第２マスクフレームデータと、を交互に切り替えて出力する手段を備える、
画像生成装置である。
【発明の効果】
【０００８】
本発明によれば、画質を劣化させることなく、カメラによる盗撮を防止することができる。
【図面の簡単な説明】
【０００９】
【図１】第１実施形態の画像処理システムの構成を示すブロック図である。
【図２】第１実施形態の概要の説明図である。
【図３】第１実施形態の画像生成処理のフローチャートである。
【図４】第２実施形態の画像投影装置の構成を示すブロック図である。
【図５】第２実施形態の概要の説明図である。
【図６】第２実施形態の発光処理のフローチャートである。
【発明を実施するための形態】
【００１０】
以下、本発明の一実施形態について、図面に基づいて詳細に説明する。なお、実施形態を説明するための図面において、同一の構成要素には原則として同一の符号を付し、その繰り返しの説明は省略する。
【００１１】
（１）第１実施形態
第１実施形態について説明する。第１実施形態は、画像データからマスクフレームデータを生成する画像処理システムの例である。
【００１２】
（１−１）画像処理システムの構成
画像処理システムの構成について説明する。図１は、第１実施形態の画像処理システムの構成を示すブロック図である。
【００１３】
図１に示すように、画像処理システム１は、画像生成装置１０と、画像表示装置３０とを備える。
【００１４】
画像生成装置１０は、記憶装置１１と、プロセッサ１２と、入出力インタフェース１３と、通信インタフェース１４と、を備える。
【００１５】
記憶装置１１は、プログラム及びデータを記憶するように構成される。記憶装置１１は、例えば、ＲＯＭ（Read Only Memory）、ＲＡＭ（Random Access Memory）、及び、ストレージ（例えば、フラッシュメモリ又はハードディスク）の組合せである。
【００１６】
プログラムは、例えば、以下のプログラムを含む。
・ＯＳ（Operating System）のプログラム
・情報処理を実行するアプリケーション（例えば、画像を生成するための画像生成アプリケーション）のプログラム
【００１７】
データは、例えば、以下のデータを含む。
・情報処理において参照されるデータベース
・情報処理を実行することによって得られるデータ（つまり、情報処理の実行結果）
【００１８】
プロセッサ１２は、記憶装置１１に記憶されたプログラムを起動することによって、画像生成装置１０の機能を実現するように構成される。プロセッサ１２は、コンピュータの一例である。
【００１９】
入出力インタフェース１３は、画像生成装置１０に接続される入力デバイスからユーザの指示を受け付け、かつ、画像生成装置１０に接続される画像表示装置３０に情報を出力するように構成される。
入力デバイスは、例えば、キーボード、ポインティングデバイス、タッチパネル、又は、それらの組合せである。
【００２０】
通信インタフェース１４は、画像生成装置１０とネットワーク（例えば、インターネット）上の装置（例えば、サーバ）との間の通信を制御するように構成される。
【００２１】
画像表示装置３０は、画像生成装置１０によって生成された画像を表示するように構成される。画像表示装置３０は、例えば、以下を含む。
・液晶ディスプレイ
・有機ＥＬディスプレイ
・画像投影装置
【００２２】
（１−２）第１実施形態の概要
第１実施形態の概要について説明する。図２は、第１実施形態の概要の説明図である。
【００２３】
図２に示すように、画像生成装置１０は、元画像データＩＭＧ０を受け付ける。
画像生成装置１０は、元画像データＩＭＧ０を、少なくとも２つのフレームデータ（第１フレームデータＦ１及び第２フレームデータＦ２）を分割する。
画像生成装置１０は、元画像データＩＭＧ０の一部である第１領域Ａ１をマスクする第１マスクパターンを第１フレームデータＦ１に適用することにより、第１マスクフレームデータＭＦ１を生成する。
画像生成装置１０は、元画像データＩＭＧ０の一部であり、且つ、第１領域Ａ１とは異なる第２領域Ａ２をマスクする第２マスクパターンを第２フレームデータＦ２に適用することにより、第２マスクフレームデータＭＦ２を生成する。
画像生成装置１０は、画像表示装置３０に対して、第１マスクフレームデータＭＦ１及び第２マスクフレームデータＭＦ２を交互に切り替えて出力する。マスクフレームデータの切替速度（以下「フレームレート」という）は、人間の目では切替を認識できないが、汎用カメラ（例えば、スマートフォン）のシャッタスピードより遅い。
【００２４】
一般的には、人間の眼の時間的分解能は約１４ｍｓであり、汎用カメラのシャッタスピードは１／６０以上であり、且つ、絞りが調整不能である。このことから、フレームレートは、１４ｆｐｓ〜６０ｆｐｓである（つまり、汎用カメラが１つのマスクフレームデータを撮影可能な速度である）ことが好ましい。
【００２５】
画像表示装置３０は、画像生成装置１０から出力された第１マスクフレームデータＭＦ１及び第２マスクフレームデータＭＦ２を交互に切り替えて表示する。
【００２６】
第１マスクフレームデータＭＦ１及び第２マスクフレームデータＭＦ２では、それぞれ、元画像データＩＭＧ０の第１領域Ａ１及び第２領域Ａ２がマスクされている。
フレームレートは、人間の目では認識できない速度である。したがって、ユーザには、画像表示装置３０に表示された画像が、元画像データＩＭＧ０に対応する画像に見える。
一方、フレームレートは１つのマスクフレームデータを撮影可能な速度である。したがって、画像表示装置３０に表示された画像を汎用カメラで撮影すると、第１マスクフレームデータＭＦ１又は第２マスクフレームデータＭＦ２（つまり、第１領域Ａ１又は第２領域Ａ２がマスクされた画像）が取得される。
【００２７】
（１−３）画像生成処理
第１実施形態の画像生成処理について説明する。図３は、第１実施形態の画像生成処理のフローチャートである。
【００２８】
プロセッサ１２は、元画像データの取得（Ｓ１００）を実行する。
具体的には、プロセッサ１２は、入出力インタフェース１３を介して、画像生成装置１０の外部から元画像データＩＭＧ０を取得する。元画像データＩＭＧ０は、静止画データ、又は、動画データを構成する１フレームのデータである。
【００２９】
ステップＳ１００の後、プロセッサ１２は、フレーム分割（Ｓ１０１）を実行する。
具体的には、プロセッサ１２は、ステップＳ１００で取得した元画像データＩＭＧ０を複数のフレームデータに分割する。一例として、プロセッサ１２は、元画像データＩＭＧ０を、第１領域Ａ１を含む第１フレームデータＦ１と、第２領域Ａ２を含む第２フレームデータＦ２と、に分割する。
【００３０】
ステップＳ１０１の後、プロセッサ１２は、マスクフレームデータの生成（Ｓ１０２）を実行する。
具体的には、プロセッサ１２は、第１フレームデータＦ１に第１マスクパターンを適用することにより、第１マスクフレームデータＭＦ１を生成する。第１マスクフレームデータＭＦ１では、元画像データＩＭＧ０の第１領域Ａ１がマスクされている。
プロセッサ１２は、第２フレームデータＦ２に第２マスクパターンを適用することにより、第２マスクフレームデータＭＦ２を生成する。第２マスクフレームデータＭＦ２では、元画像データＩＭＧ０の第２領域Ａ２がマスクされている。
【００３１】
ステップＳ１０２の後、プロセッサ１２は、マスクフレームデータの切替出力（Ｓ１０３）を実行する。
具体的には、プロセッサ１２は、ステップＳ１０２で生成した第１マスクフレームデータＭＦ１及び第２マスクフレームデータＭＦ２を所定のフレームレートで切り替えながら、画像表示装置３０に出力する。フレームレートは、例えば、６０ｆｐｓである。
【００３２】
ステップＳ１０３は、画像の表示が終了するまで繰り返し実行される（Ｓ１０４−ＮＯ）。
画像の表示が終了すると（Ｓ１０４−ＹＥＳ）、画像生成処理が終了する。
【００３３】
本実施形態によれば、ステップＳ１０３のフレームレートは、人間の目では認識できない速度である。したがって、ユーザには、画像表示装置３０に表示された画像が、元画像データＩＭＧ０に対応する画像に見える。
一方、フレームレートは１つのマスクフレームデータを撮影可能な速度である。したがって、画像表示装置３０に表示された画像を汎用カメラで撮影すると、第１マスクフレームデータＭＦ１又は第２マスクフレームデータＭＦ２（つまり、第１領域又は第２領域がマスクされた画像）が取得される。
その結果、人間の鑑賞を妨害することなく、盗撮を防止することができる。
【００３４】
（１−４）使用例
第１実施形態の使用例について説明する。
【００３５】
（１−４−１）使用例１
第１実施形態の使用例１について説明する。使用例１は、プレゼンテーションに画像生成装置１０を利用する例である。
【００３６】
記憶装置１１には、プレゼンテーション用アプリケーションと、プレゼンテーション用アプリケーションが提示すべきプレゼンテーション資料のデータ（以下「プレゼンテーションデータ」という）が記憶されている。プレゼンテーションデータは、複数のページデータから構成される。
【００３７】
ステップＳ１００において、プロセッサ１２は、プレゼンテーション用アプリケーションからプレゼンテーションデータを取得する。各ページデータが、１つの元画像データＩＭＧ０である。
【００３８】
使用例１によれば、プレンテーションを行っている間に、聴衆にはプレゼンテーション資料を見せながら、盗撮を防止することができる。
【００３９】
なお、使用例１では、画像生成処理（図３）のＯＮ又はＯＦＦをページデータ毎に切り替えてもよい。
例えば、プロセッサ１２は、ユーザの指示に基づいて、画像生成処理のＯＮ又はＯＦＦを示す情報を各ページデータに埋め込む。
プロセッサ１２は、画像生成処理のＯＮを示す情報が埋め込まれたページデータに対して、画像生成処理を実行する。この場合、第１マスクフレームデータＭＦ１又は第２マスクフレームデータＭＦ２が出力される。
プロセッサ１２は、画像生成処理のＯＦＦを示す情報が埋め込まれたページデータに対して、画像生成処理を実行しない。この場合、ページデータが出力される。
これにより、特定のページ（例えば、機密情報を含むページ）についてのみ、盗撮を防止することができる。
【００４０】
（１−４−２）使用例２
第１実施形態の使用例２について説明する。使用例２は、テーマパークで画像生成装置１０を使用する例である。
【００４１】
テーマパークでは、アトラクション中に公式に撮影された写真を、アトラクション終了後に販売している場合がある。この場合、アトラクションの出口で、アトラクション中に公式に撮影された写真が画像表示装置３０に表示されている。画像表示装置３０に表示された写真の撮影は禁止されている。
【００４２】
ステップＳ１００において、プロセッサ１２は、画像表示装置３０に表示すべき写真を元画像データＩＭＧ０として取得する。
【００４３】
使用例２によれば、アトラクションのユーザは、画像表示装置３０に表示された写真を確認して、写真を購入するか否かを判断する。
一方、ユーザがスマートフォンのカメラで画像表示装置３０に表示された写真を撮影したとしても、カメラは、第１マスクフレームデータＭＦ１又は第２マスクフレームデータＭＦ２を取得する。これにより、撮影が禁止された写真の盗撮を防ぐことができる。
【００４４】
本実施形態によれば、第１マスクフレームデータＭＦ１及び第２マスクフレームデータＭＦ２の切替速度が人間の眼の時間的分解能より早い。従って、第１マスクフレームデータＭＦ１と第２マスクフレームデータＭＦ２の切替による残像効果により、ユーザは、画像表示装置３０に表示された画像を元画像データＩＭＧ０に対応する画像として認識する。
一方、第１マスクフレームデータＭＦ１と第２マスクフレームデータＭＦ２との切替速度が、汎用カメラの適切なシャッタスピードより遅い。従って、汎用カメラは、第１マスクフレームデータＭＦ１又は第２マスクフレームデータＭＦ２に対応する画像を撮影する。
これにより、ユーザに画像を観察させながら、且つ、当該画像の盗撮を防止することができる。
【００４５】
（２）第２実施形態
第２実施形態について説明する。第２実施形態は、マスクが施された光を対象物に照射する画像投影装置の例である。
【００４６】
（２−１）画像投影装置の構成
画像投影装置の構成について説明する。図４は、第２実施形態の画像投影装置の構成を示すブロック図である。
【００４７】
図１に示すように、画像投影装置２０は、記憶装置２１と、プロセッサ２２と、入出力インタフェース２３と、通信インタフェース２４と、光源制御部２５と、光源２６と、を備える。
【００４８】
記憶装置２１は、記憶装置１１（図１）と同様である。
【００４９】
プログラムは、例えば、以下のプログラムを含む。
・ＯＳ（Operating System）のプログラム
・情報処理を実行するアプリケーション（例えば、光を生成するための光生成アプリケーション）のプログラム
【００５０】
データは、例えば、以下のデータを含む。
・情報処理において参照されるデータベース
・情報処理を実行することによって得られるデータ（つまり、情報処理の実行結果）
【００５１】
プロセッサ２２は、記憶装置２１に記憶されたプログラムを起動することによって、画像投影装置２０の機能を実現するように構成される。プロセッサ２２は、コンピュータの一例である。
【００５２】
入出力インタフェース２３は、画像投影装置２０に接続される入力デバイスからユーザの指示を受け付け、かつ、画像投影装置２０に接続される出力デバイスに情報を出力するように構成される。
入力デバイスは、例えば、キーボード、ポインティングデバイス、タッチパネル、又は、それらの組合せである。
出力デバイスは、例えば、液晶ディスプレイである。
【００５３】
通信インタフェース２４は、画像投影装置２０とネットワーク（例えば、インターネット）上の装置（例えば、サーバ）との間の通信を制御するように構成される。
【００５４】
光源制御部２５は、光源２６の発光を制御するための制御信号を生成するように構成される。
【００５５】
光源２６は、光源制御部２５によって生成された制御信号に基づいて光を発光するように構成される。
【００５６】
（２−２）第２実施形態の概要
第２実施形態の概要について説明する。図５は、第２実施形態の概要の説明図である。
【００５７】
図５に示すように、画像投影装置２０は、対象物ＯＢＪの一部である第１領域Ａ１をマスクする第１マスクパターンが適用された第１マスク光ＭＯ１、及び、対象物ＯＢＪの一部である第２領域Ａ２をマスクする第２マスクパターンが適用された第２マスク光ＭＯ２を交互に切り替えて発光する。マスク光の切替速度は、人間の目では切替を認識できないが、汎用カメラのシャッタスピードより遅い。
【００５８】
対象物ＯＢＪは、例えば、以下のものを含む。
・物理オブジェクト
・ディスプレイに表示された画像
・画像投影装置２０とは異なる装置により投影された画像
【００５９】
対象物ＯＢＪには、第１マスク光ＭＯ１及び第２マスク光ＭＯ２が交互に切り替えて照射される。
【００６０】
第１マスク光ＭＯ１及び第２マスク光ＭＯ２では、それぞれ、対象物ＯＢＪの第１領域Ａ１及び第２領域Ａ２がマスクされている。
切替速度は、人間の目では認識できない速度である。したがって、ユーザには、対象物ＯＢＪがそのまま見える。
一方、切替速度は１つのマスク光を撮影可能な速度である。したがって、対象物ＯＢＪを汎用カメラで撮影すると、第１マスク光ＭＯ１又は第２マスク光ＭＯ２が重畳された対象物ＯＢＪ（つまり、第１領域Ａ１又は第２領域Ａ２がマスクされた対象物ＯＢＪの画像）が取得される。
【００６１】
（２−３）発光処理
第２実施形態の発光処理について説明する。図６は、第２実施形態の発光処理のフローチャートである。
【００６２】
プロセッサ２２は、マスク制御信号の生成（Ｓ２００）を実行する。
具体的には、プロセッサ２２は、第１マスク制御信号を生成する。第１マスク制御信号は、対象物ＯＢＪの第１領域Ａ１をマスクする画像を投影するための第１マスク光ＭＯ１を光源２６に発光させるための信号である。
光源制御部２５は、第２マスク制御信号を生成する。第２マスク制御信号は、対象物ＯＢＪの第２領域Ａ２をマスクする画像を投影するための第２マスク光ＭＯ２を光源２６に発光させるための信号である。
【００６３】
ステップＳ２００の後、光源制御部２５は、制御信号の切替（Ｓ２０１）を実行する。
具体的には、光源制御部２５は、ステップＳ２００で生成した第１制御信号及び第２制御信号を所定の切替速度で切り替えながら、光源２６に与える。切替速度は、例えば、６０ｆｐｓである。
【００６４】
ステップＳ２０１〜Ｓ２０２は、ユーザが発光の終了を指示するまで繰り返し実行される（Ｓ２０３−ＮＯ）。
ユーザが発光の終了を指示すると（Ｓ２０３−ＹＥＳ）、発光処理が終了する。
【００６５】
本実施形態によれば、ステップＳ２０３の切替速度は、人間の目では認識できない速度である。したがって、ユーザには、画像表示装置３０に表示された画像が、元画像データＩＭＧ０に対応する画像に見える。
一方、切替速度は１つのマスク光を撮影可能な速度である。したがって、画像表示装置３０に表示された画像を汎用カメラで撮影すると、第１マスク光ＭＯ１又は第２マスク光ＭＯ２（つまり、第１領域又は第２領域がマスクされた画像）が取得される。
その結果、人間の鑑賞を妨害することなく、盗撮を防止することができる。
【００６６】
（２−４）使用例
第２実施形態の使用例について説明する。
【００６７】
（２−４−１）使用例１
第２実施形態の使用例１について説明する。使用例１は、物理オブジェクト（例えば、美術館に展示されている絵画）に画像投影装置２０を利用する例である。
【００６８】
ステップＳ２００において、光源制御部２５は、物理オブジェクトの所定の第１領域Ａ１をマスクする画像を投影するための第１マスク光ＭＯ１を光源２６に発光させるための第１制御信号と、物理オブジェクトの所定の第２領域Ａ２をマスクする画像を投影するための第２マスク光ＭＯ２を光源２６に発光させるための第２制御信号と、を生成する。
【００６９】
使用例１によれば、観察者に物理オブジェクトを見せながら、物理オブジェクトの盗撮を防止することができる。
【００７０】
（２−４−２）使用例２
第２実施形態の使用例２について説明する。使用例２は、画像投影装置２０以外の装置によって投影された画像、又は、画像表示装置３０に表示された画像（以下「対象画像」という）に画像投影装置２０によって発光された光を照射する例である。
【００７１】
ステップＳ２００において、光源制御部２５は、対象画像の所定の第１領域Ａ１をマスクする画像を投影するための第１マスク光ＭＯ１を光源２６に発光させるための第１制御信号と、対象画像の所定の第２領域Ａ２をマスクする画像を投影するための第２マスク光ＭＯ２を光源２６に発光させるための第２制御信号と、を生成する。
【００７２】
使用例２によれば、観察者に対象画像を見せながら、対象画像の盗撮を防止することができる。
【００７３】
本実施形態によれば、第１マスク光ＭＯ１を光源２６に発光させるための第１制御信号、及び、第２マスク光ＭＯ２を光源２６に発光させるための第２制御信号の切替速度が人間の眼の時間的分解能より早い。従って、第１マスク光ＭＯ１に対応する画像と第２マスク光ＭＯ２に対応する画像の切替による残像効果により、ユーザは、対象物ＯＢＪをそのまま認識する。
一方、第１制御信号と第２制御信号の切替速度が、汎用カメラの適切なシャッタスピードより遅い。従って、汎用カメラは、第１マスク光ＭＯ１又は第２マスク光ＭＯ２に対応する画像を撮影する。
これにより、ユーザに対象物ＯＢＪを観察させながら、当該対象物ＯＢＪの盗撮を防止することができる。
【００７４】
（３）本実施形態の小括
本実施形態について小括する。
【００７５】
本実施形態の第１態様は、元画像データを取得する手段（例えば、ステップＳ１００を実行するプロセッサ１２）を備え、
元画像データＩＭＧ０を少なくとも２つのフレームデータに分割する手段（例えば、ステップＳ１０１を実行するプロセッサ１２）を備え、
元画像データＩＭＧ０の一部である第１領域Ａ１をマスクする第１マスクパターンを第１フレームデータＦ１に適用することにより、第１マスクフレームデータＭＦ１を生成する手段（例えば、ステップＳ１０２を実行するプロセッサ１２）を備え、
元画像データＩＭＧ０の一部である第２領域Ａ２をマスクする第２マスクパターンを第２フレームデータＦ２に適用することにより、第２マスクフレームデータＭＦ２を生成する手段（例えば、ステップＳ１０２を実行するプロセッサ１２）を備え、
第１マスクフレームデータＭＦ１と、第２マスクフレームデータＭＦ２と、を交互に切り替えて出力する手段（例えば、ステップＳ１０３を実行するプロセッサ１２）を備える、
画像生成装置１０である。
【００７６】
第１態様によれば、画質を劣化させることなく、カメラによる盗撮を防止することができる。
【００７７】
本実施形態の第２態様では、出力する手段は、複数のフレームデータを、人間の眼の時間的分解能より速く、且つ、カメラのシャッタスピードより遅い時間で切り替える。
【００７８】
本実施形態の第３態様では、出力する手段は、複数のフレームデータを６０ｆｐｓ以下で切り替える。
【００７９】
本実施形態の第４態様は、上記画像生成装置１０と接続可能な画像表示装置３０であって、
出力された第１マスクフレームデータＭＦ１及び第２マスクフレームデータＭＦ２を交互に切り替えて表示する。
【００８０】
本実施形態の第５態様は、光を対象物ＯＢＪに照射する光源２６を備え、
対象物ＯＢＪの一部である第１領域Ａ１をマスクする画像を投影する第１マスク光ＭＯ１を光源に発光させるための第１制御信号を生成する手段（例えば、ステップＳ２００を実行する光源制御部２５）を備え、
対象物ＯＢＪの一部である第２領域Ａ２をマスクする画像を投影する第２マスク光ＭＯ２を光源に発光させるための第２制御信号を生成する手段（例えば、ステップＳ２００を実行する光源制御部２５）を備え、
第１制御信号と、第２制御信号と、を交互に切り替えて光源２６に与える手段（例えば、ステップＳ２０１を実行する光源制御部２５）を備える、
画像投影装置２０である。
【００８１】
第５態様によれば、物理オブジェクトの見た目や画質を劣化させることなく、カメラによる盗撮を防止することができる。
【００８２】
本実施形態の第６態様では、光源は、複数のマスク光を、人間の眼の時間的分解能より速く、且つ、カメラのシャッタスピードより遅い時間で切り替える。
【００８３】
本実施形態の第７態様では、光源は、複数マスク光を６０ｆｐｓ以下で切り替える。
【００８４】
（４）その他の変形例
【００８５】
記憶装置１１は、ネットワークを介して、画像生成装置１０と接続されてもよい。
記憶装置２１は、ネットワークを介して、画像投影装置２０と接続されてもよい。
【００８６】
第１実施形態のマスクフレームの種類は、３種類以上でもよい。
第２実施形態のマスク光の種類は、３種類以上でもよい。
【００８７】
以上、本発明の実施形態について詳細に説明したが、本発明の範囲は上記の実施形態に限定されない。また、上記の実施形態は、本発明の主旨を逸脱しない範囲において、種々の改良や変更が可能である。また、上記の実施形態及び変形例は、組合せ可能である。
【符号の説明】
【００８８】
１        ：画像処理システム
１０      ：画像生成装置
１１      ：記憶装置
１２      ：プロセッサ
１３      ：入出力インタフェース
１４      ：通信インタフェース
２０      ：画像投影装置
２１      ：記憶装置
２２      ：プロセッサ
２３      ：入出力インタフェース
２４      ：通信インタフェース
２５      ：光源制御部
２６      ：光源
３０      ：画像表示装置
【図１】
2019022054.tif 000003
【図２】
2019022054.tif 000004
【図３】
2019022054.tif 000005
【図４】
2019022054.tif 000006
【図５】
2019022054.tif 000007
【図６】
2019022054.tif 000008